(57)【要約】【課題】必要時にのみ冷却／暖機作用を働かせてエネルギーロスを防ぎ、しかも追加設備を最小限に少なくできるとともに温度管理のための設備を不要とする。【解決手段】ブレーキ機構９の圧力室１２に、油圧ポンプ１６からの作動油を導入する作動油供給管路１７と、導入された作動油をタンクに戻す戻り管路２１を接続し、ブレーキピストン１１を冷却／暖機用の熱交換器、作動油を同媒体として潤滑油Ｏ及び減速機２を冷却／暖機する冷却／暖機システムを構成する。作動油供給管路１７にはブレーキ作動時に圧力室１２に作動油を供給するためのブレーキ切換弁１８、戻り管路２１に、圧力室１２をブレーキ解除圧に保持する絞り２２を設けた。【選択図】図１
2014185474.tif 000002
【特許請求の範囲】
【請求項１】
駆動源としての油圧または電動のモータと、このモータの回転力を被駆動部に減速して伝達する減速機と、上記減速機の回転軸に制動力を付与するブレーキ機構とを備え、上記ブレーキ機構は、ブレーキピストンと、このブレーキピストンの押圧力により互いに圧接してブレーキ力を発揮する回転側及び固定側両ブレーキ板と、上記ブレーキピストンをブレーキ作動方向に押圧するブレーキバネと、モータ回転時に作動油が導入されて上記ブレーキピストンをブレーキ解除方向に押圧するブレーキ解除圧を発生させる圧力室を備え、かつ、上記ブレーキ機構の圧力室に作動油を供給する油圧ポンプと、上記モータの回転／停止に応じて上記圧力室に対する作動油の供給／停止を切換えるブレーキ切換弁が設けられた建設機械の駆動装置において、上記ブレーキ機構の圧力室に、上記油圧ポンプから導入された作動油をタンクに戻す戻り管路を接続し、この戻り管路に、上記圧力室を上記ブレーキ解除圧に保持する圧力保持弁を設けたことを特徴とする建設機械の駆動装置。
【請求項２】
上記圧力保持弁として、上記作動油の流量を絞ることによって上記ブレーキ解除圧を発生させる絞りを設けたことを特徴とする請求項１記載の建設機械の駆動装置。
【発明の詳細な説明】
【技術分野】
【０００１】
本発明は油圧ショベルやハイブリッドショベル等の建設機械において、たとえば旋回駆動装置の減速機を冷却し、または暖める冷却／暖機システムを備えた駆動装置に関するものである。
【背景技術】
【０００２】
ショベルの旋回駆動装置を例にとって背景技術を説明する。
【０００３】
ショベルは、クローラ式の下部走行体上に上部旋回体が地面に対して鉛直となる軸のまわりに旋回自在に搭載され、この上部旋回体に作業アタッチメントが取付けられて構成される。
【０００４】
このショベルにおいて、上部旋回体を旋回させる旋回駆動装置は、駆動源としての油圧または電動のモータと、このモータの回転力を歯車減速機構により減速して被駆動部である上部旋回体に伝達する減速機とによって構成される。
【０００５】
モータと減速機とは、互いの回転軸が一致する状態で装置軸方向に並んで設けられ、モータが上となる縦置き姿勢でアッパーフレームに取付けられる。
【０００６】
減速機は、回転軸のまわりにサンギヤと複数のプラネタリギヤとリングギヤとを備えた一〜複数段の遊星歯車式の減速部を設けて構成され、この減速機の出力が、減速機出力軸に設けられたピニオン、及び下部走行体のロワフレームに設けられた旋回ギヤを介して上部旋回体に伝えられる。
【０００７】
また、特許文献１に示されるように、減速機内にブレーキ機構(ネガティブ式のパーキングブレーキ)が設けられる場合がある。
【０００８】
このブレーキ機構は、ブレーキピストンと、ブレーキバネと、圧力室と、回転側及び固定側両ブレーキ板を備え、旋回停止時にブレーキバネのバネ力でブレーキピストンを押して両ブレーキ板を圧接させることにより減速機の回転軸に制動力を付与(ブレーキ作動)し、旋回作動時に油圧ポンプからの作動油を圧力室に導入してブレーキピストンを反対方向に押すことによりブレーキ力を解除(ブレーキ解除)するように構成される。
【０００９】
このブレーキ機構には、油圧ポンプポンプ及びタンクと圧力室とを結ぶブレーキ回路が接続され、このブレーキ回路に、旋回レバーの操作に連動して作動油の給排を制御するブレーキ切換弁が設けられる。
【００１０】
一方、減速機の減速機ハウジング内には潤滑油が封入され、減速部の潤滑作用が行われる。
【００１１】
ここで、運転中、減速機が発熱し、これによって潤滑油も高温化するため、潤滑油を含めた減速機を冷却する冷却システムが採用されている。
【００１２】
なお、冷却システムは、低温下では減速機を暖める暖機システムとしても機能するため、実際上は冷却／暖機システムとなる。
【００１３】
この冷却／暖機システムとして、特許文献１に示されているように減速機ケーシングに媒体通路を設け、水、油等の冷却／暖機媒体をこの媒体通路に流して潤滑油を含めた減速機全体を外周から冷却／暖機する技術が公知である。
【００１４】
また、特許文献２に示されているように、熱交換器を潤滑油中に浸して設け、この熱交換器に媒体を通す技術も公知である。
【先行技術文献】
【特許文献】
【００１５】
【特許文献１】特許第４５０４８９９号
【特許文献２】特開２０１２−１１２１２２号
【発明の概要】
【発明が解決しようとする課題】
【００１６】
公知技術によると、エンジン運転中、媒体が常時流れ、旋回駆動装置の冷却／暖機の必要のないとき(旋回停止時)も稼働し続けるため、エネルギーロスとなる。
【００１７】
また、媒体を循環させるための専用のポンプ、タンク及び配管を一から追加しなければならないため、大幅なコストアップとなるとともに配管スペースを含めた余分なスペースが必要となる。
【００１８】
なお、上記エネルギーロスを回避するためには、温度管理して、必要時、すなわち旋回作動時にのみ媒体を流すシステムとすればよいが、こうすると温度管理のためのコントローラと専用の切換弁を追加しなければならないため、さらなるコストアップと追加設備のためのスペース増加を招く。
【００１９】
そこで本発明は、必要時にのみ冷却／暖機作用を働かせてエネルギーロスを防ぎ、しかも追加設備を最小限に少なくできるとともに温度管理のための設備が不要な建設機械の駆動装置を提供するものである。
【課題を解決するための手段】
【００２０】
上記課題を解決する手段として、本発明においては、駆動源としての油圧または電動のモータと、このモータの回転力を被駆動部に減速して伝達する減速機と、上記減速機の回転軸に制動力を付与するブレーキ機構とを備え、上記ブレーキ機構は、ブレーキピストンと、このブレーキピストンの押圧力により互いに圧接してブレーキ力を発揮する回転側及び固定側両ブレーキ板と、上記ブレーキピストンをブレーキ作動方向に押圧するブレーキバネと、モータ回転時に作動油が導入されて上記ブレーキピストンをブレーキ解除方向に押圧するブレーキ解除圧を発生させる圧力室を備え、かつ、上記ブレーキ機構の圧力室に作動油を供給する油圧ポンプと、上記モータの回転／停止に応じて上記圧力室に対する作動油の供給／停止を切換えるブレーキ切換弁が設けられた建設機械の駆動装置において、上記ブレーキ機構の圧力室に、上記油圧ポンプから導入された作動油をタンクに戻す戻り管路を接続し、この戻り管路に、上記圧力室を上記ブレーキ解除圧に保持する圧力保持弁を設けたものである。
【００２１】
この構成によると、旋回作動時にブレーキ機構の圧力室にブレーキ解除のための作動油が導入され、この作動油が冷却／暖機の媒体としてブレーキピストンを介して潤滑油を含めた減速機を冷却／暖機する。
【００２２】
すなわち、ブレーキ機構とそのための油圧ポンプ及びタンク、切換弁を利用して冷却／暖機システムが構成される。
【００２３】
この場合、作動油は、従来の駆動装置のブレーキ機構のように行き止まりとなった圧力室に滞留するのではなく、戻り管路を通って循環するため、高い冷却／暖機効果を得ることができる。
【００２４】
しかも、作動油は旋回作動時のみに供給されて循環し、旋回停止時には供給も循環もしないため、いいかえれば冷却／暖機作用は、冷却／暖機の必要がある旋回作動時にのみ働き、それ以外の、旋回駆動装置の冷却／暖機が必要でない運転時(アイドリング時、走行時、旋回を伴わないアタッチメント作業時)には働かないため、エネルギーの無駄遣いを回避し、省エネルギーとなる。
【００２５】
また、圧力保持弁によって戻り管路の圧力、つまり圧力室の圧力をブレーキ解除圧に保持できるため、ブレーキ機構に本来必要なブレーキ性能を確保することができる。
【００２６】
さらに、温度管理の必要がないため、温度管理のための設備も制御も不要となり、追加設備は圧力室とタンクとを結ぶ戻り管路と圧力保持弁のみでよいため、専用のポンプ及びタンクが不要となることを含めて追加設備を必要最小限に少なくし、コストアップ及び必要スペースの増加を抑えることができる。
【００２７】
本発明において、上記圧力保持弁として、上記作動油の流量を絞ることによって上記ブレーキ解除圧を発生させる絞りを設けるのが望ましい(請求項２)。
【００２８】
この構成によれば、圧力保持弁としての絞りにより、作動油の温度が低いときは油粘度が高くて通過流量(循環流量)が減少する。すなわち、潤滑油も減速機も低温で冷却の必要がなく、むしろ暖機するのが望ましい状況では冷却性能が自然に低下するため、速やかに暖機することができる。
【発明の効果】
【００２９】
本発明によると、必要時にのみ冷却／暖機作用を働かせてエネルギーロスを防ぎ、しかも追加設備を最小限に少なくできるとともに温度管理のための設備を不要とすることができる。
【図面の簡単な説明】
【００３０】
【図１】本発明の実施形態にかかる旋回駆動装置の一部の断面と冷却／暖機の回路構成を示す図である。
【図２】従来の旋回駆動装置の図１相当図である。
【発明を実施するための形態】
【００３１】
実施形態はショベルの旋回駆動装置を適用対象としている。
【００３２】
図１に実施形態装置、図２に従来装置をそれぞれ示す。
【００３３】
まず、共通部分を説明すると、両装置は、油圧または電動のモータ１と、このモータ１の回転力を減速して被駆動部である上部旋回体に伝達する減速機２とによって構成される。
【００３４】
モータ１はモータケーシング３、減速機２は筒状の減速機ケーシング４をそれぞれ備え、モータ１を上にして、互いの回転軸中心が一致する縦置き状態で、互いのケーシング３，４同士がボルト結合される。
【００３５】
減速機２は、減速機ケーシング４内で一〜複数段の遊星歯車式の減速部(図では第１段減速部５のみを示す)が同軸上に並設されて構成され、減速機ケーシング４内のほぼ全長範囲に亘って潤滑油(ギヤオイル)Ｏが封入される。
【００３６】
減速部５は、モータ軸６に取付けられたサンギヤＳと、減速機回転軸７と一体回転するスパイダ８を介してこのサンギヤＳの周りに設けられた複数のプラネタリギヤＰと、ケーシング内周に設けられたリングギヤＲから成り、周知のようにプラネタリギヤＰが自転しながら公転運動を行うことによってモータ回転を減速し、その出力が、図示しない減速機出力軸、ピニオン及びこれと噛み合う旋回歯車を介して被駆動部であるアッパーフレーム(上部旋回体)に伝達される。
【００３７】
一方、減速機２の入力側(第１段減速部５)にネガティブ式のブレーキ機構９が設けられている。
【００３８】
このブレーキ機構９は、円周方向複数のブレーキバネ１０と、このブレーキバネ１０によって下向きに押圧されるリング状のブレーキピストン１１と、旋回作動時に作動油が導入される圧力室１２と、ブレーキピストン１１の下方において上下に重なり合って配置された回転軸側及び固定側両ブレーキ板１３，１４とによって構成される。
【００３９】
回転軸側ブレーキ板１３は、第１段減速部５のスパイダ８の外周にスプライン結合され、スパイダ８と一体回転可能でかつ上下移動可能となっている。
【００４０】
固定側ブレーキ板１４は、減速機ケーシング４の内周面にスプライン結合によって回転不能でかつ上下移動可能に取付けられている。
【００４１】
こうして、旋回作動時に、圧力室１２に作動油が導入されてブレーキ解除圧が立つことによりブレーキピストン１１が上昇してブレーキ解除される一方、旋回停止時に、ブレーキ解除圧がタンクＴに抜けるとともにブレーキピストン１１の押し付け力により両側ブレーキ板１３，１４同士が圧接してブレーキ力を発揮し、このブレーキ力により減速機回転軸７、ひいては減速機出力軸が回転不能に制動されるように構成されている。
【００４２】
一方、旋回作動時に圧力室１２に作動油を導入するための油圧ブレーキ回路が設けられている。
【００４３】
この油圧ブレーキ回路は、エンジン１５によって駆動されるブレーキ解除用の油圧ポンプ１６と、この油圧ポンプ１６及びタンクＴと圧力室１２とを結ぶ作動油供給管路１７と、この作動油供給管路１７に設けられたブレーキ切換弁１８によって構成される。図中、１９は油圧アクチュエータ(モータ１として油圧モータが用いられる場合はその油圧モータを含めた油圧アクチュエータ)の油圧源となるメインポンプである。
【００４４】
ブレーキ切換弁１８は、旋回操作レバーの操作／非操作に基づくコントローラ２０からの信号によって作動油供給位置イとタンク位置ロの間まで切換わる電磁切換弁として構成され、旋回作動時には作動油供給位置イに、旋回停止時にはタンク位置ロにそれぞれセットされる。
【００４５】
上記作動油供給位置イでは、油圧ポンプ１６から吐出された作動油が圧力室１２に供給され、ブレーキ解除圧が立つことによりブレーキピストン１１が上昇してブレーキ解除され、タンク位置ロでは圧力室１２の作動油がタンクＴに抜けてブレーキピストン１１がバネ力で下降し、ブレーキ作動状態となる。
【００４６】
なお、モータ１として油圧モータを用いる場合、ブレーキ切換弁１８として油圧パイロット切換弁を用い、旋回操作手段としてのリモコン弁の操作に発生するパイロット圧によって同切換弁を切換作動させるようにしてもよい。
【００４７】
ここで、ブレーキピストン１１を冷却／暖機用の熱交換器、ブレーキ解除のために圧力室１２に導入される作動油を冷却／暖機用の媒体と見ることができる。
【００４８】
しかし、従来の旋回駆動装置においては、作動油供給管路１７が戻り管路を兼ね、同管路１７のみを通じて油圧ポンプ１６及びタンクＴと圧力室１２の間で作動油が行き来するだけの構成、つまり、作動油が供給されても圧力室１２で行き止まりとなって滞留するだけであるし、ブレーキ作動時にはその作動油もタンクＴに抜けてしまうため、熱交換性能が低く、冷却／暖機設備としては実際上、機能しない。
【００４９】
これに対し、実施形態装置においては、圧力室１２に、作動油供給管路１７とは別の戻り管路２１を接続し、この戻り管路２１をタンクＴに接続することにより、旋回作動時に、作動油を油圧ポンプ１６−作動油供給管路１７−圧力室１２−戻り管路２１−タンクＴの経路で循環させるように構成している。
【００５０】
また、戻り管路２１に圧力保持弁としての絞り(絞り弁と同義)２２を設け、作動油の流量をこの絞り２２で絞ることによって圧力室１２をブレーキ解除圧に保持するように構成している。
【００５１】
２３は戻り管路２１に設けたオイルクーラである。
【００５２】
この構成によると、旋回作動時にブレーキ機構９の圧力室１２にブレーキ解除のための作動油が導入され、この作動油が冷却／暖機の媒体としてブレーキピストン１１を介して潤滑油Ｏを含めた減速機２を冷却または暖機する。
【００５３】
すなわち、旋回作動時(とくに高負荷での旋回作動時)のように潤滑油Ｏ及び減速機２の温度が作動油温度よりも高い状況では冷却機能が働き、低温下での始動直後や非旋回作業時のように潤滑油Ｏや減速機２の温度が作動油温度よりも低い状況では暖機機能が働く。
【００５４】
こうして、ブレーキ機構９とそのための油圧ポンプ１６及びタンクＴ、ブレーキ切換弁１８を利用した冷却／暖機システムが構成される。
【００５５】
この場合、作動油は、従来の駆動装置のブレーキ機構のように行き止まりとなった圧力室１２に滞留するのではなく、戻り管路２１を通って循環するため、高い冷却／暖機効果を得ることができる。
【００５６】
しかも、作動油は旋回作動時のみに供給されて循環し、旋回停止時にはブレーキ切換弁１８のタンク位置ロへの切換わりによって供給も循環も停止する。いいかえれば、冷却／暖機作用は、実際に冷却／暖機の必要がある旋回作動時にのみ働き、それ以外の、旋回駆動装置の冷却／暖機が必要でない運転時(アイドリング時、走行時、旋回を伴わないアタッチメント作業時)には働かないため、エネルギーの無駄遣いを回避し、省エネルギーとなる。
【００５７】
また、絞り２２によって戻り回路の圧力、つまり圧力室１２の圧力をブレーキ解除圧に保持できるため、ブレーキ機構９として本来必要なブレーキ性能を確保することができる。
【００５８】
さらに、温度管理の必要がないため、温度管理のための設備も制御も不要となる。
【００５９】
また、冷却／暖機システムのうち、作動油供給管路１７及びブレーキ切換弁１８は既存のものをそのまま利用でき、追加設備は圧力室１２とタンクＴとを結ぶ戻り管路２１と絞り２２のみでよいため、専用のポンプ及びタンクが不要となることを含めて追加設備を必要最小限に少なくし、コストアップ及び必要スペースの増加を抑えることができる。
【００６０】
この場合、圧力保持弁として絞り２２を用いているため、作動油の温度が低い(粘度が高い)ときは通過流量(循環流量)が減少する。すなわち、潤滑油Ｏも減速機２も低温で冷却の必要がなく、むしろ暖機するのが望ましい状況では冷却性能が自然に低下するため、速やかに暖機することができる。
【００６１】
他の実施形態
(１)  圧力保持弁は、基本的には圧力室１２にブレーキ解除圧を確保できる弁であればよく、上記実施形態で挙げた絞り２２に限らず、リリーフ弁(安全弁)等の他の圧力制御弁を用いてもよい。
【００６２】
(２)  上記実施形態では、第１段減速部５にブレーキ機構９を配置した場合を示したが、第２段または第３段減速部にブレーキ機構９を配置した旋回駆動装置にも上記同様に適用することができる。
【００６３】
(３)  本発明は、ショベルの旋回駆動装置に限らず、他の旋回式建設機械の旋回駆動装置、旋回駆動装置以外のブレーキ機構付きの駆動装置で冷却／暖機機能を要するものに広く適用することができる。
【符号の説明】
【００６４】
１  モータ
２  減速機
５  減速機を構成する第１段減速部
６  モータ軸
７  減速機回転軸
９  ブレーキ機構
１０  ブレーキバネ
１１  ブレーキピストン
１２  圧力室
１３  回転軸側ブレーキ板
１４  固定側ブレーキ板
Ｏ  潤滑油
１５  エンジン
１６  ブレーキ解除用の油圧ポンプ
１７  作動油供給管路
１８  ブレーキ切換弁
２１  戻り管路
２２  圧力保持弁としての絞り
Ｔ  タンク
【図１】
2014185474.tif 000003
【図２】
2014185474.tif 000004